(57)【要約】【課題】分割形成した指針を連結部材にて安定して保持できる指針式計器を提供する。【解決手段】指針１を第１の透光部材１１と第２の透光部材１２とに分割形成し、第１の透光部材１１を二方向（第１，第２の延長方向Ａ１，Ａ２）に延びる形状とし、第２の透光部材１２を第３の延長方向Ａ３に延びる形状とし、第１の透光部材１１と第２の透光部材１２の双方を各々が筒形となる第１の挿入保持部１３１と第２の挿入保持１３２とを有する連結部材１３で挿入保持することにより両透光部材１１，１２を連結した。【選択図】図４
2008032455.tif 000002
【特許請求の範囲】
【請求項１】
表示部材と、
この表示部材の背後に配置され駆動軸を有する駆動装置と、
前記駆動軸に連結され前記表示部材に沿って軸周り回動する指針と、
この指針を照明する光源とを備え、
前記指針が、少なくとも前記表示部材の背面側を前記駆動軸と交差する第１の延長方向に延びる第１の延長部と前記第１の延長方向と交差する第２の延長方向に延びる第２の延長部とを有し、これら第１，第２の延長部が二方向に屈曲して延びる第１の透光部材と、前記表示部材の前面側を前記第２の延長方向と交差する第３の延長方向に延びる第２の透光部材と、この第２の透光部材と前記第２の延長部とを連結する遮光性材料からなる連結部材とからなり、
前記第２の延長部は、前記光源からの光を前記第２の透光部材に出光させる出光面を有し、
前記第２の透光部材は、前記出光面からの光を入光させる入光面を有し、
前記連結部材は、前記第２の延長方向に沿って前記第２の延長部を挿入することにより前記出光面を前記入光面に向けて保持する第１の挿入保持部と、この第１の挿入保持部と連通し前記第３の延長方向に沿って前記第２の透光部材を挿入することにより前記入光面を前記出光面に向けて保持する第２の挿入保持部とを有し、前記出光面と前記入光面とが対面するように前記第２の延長部の端部と前記第２の透光部材の端部とが前記第２の延長方向または前記第３の延長方向に重なるように連結することを特徴とする指針式計器。
【請求項２】
前記第２の延長部の端部には内部導光した前記光源の光を前記出光面に向けて反射する反射面が形成され、この反射面と前記出光面と前記入光面の全てが前記第３の延長方向上に位置するように、前記第２の延長部の端部と前記第２の透光部材の端部とが連結されることを特徴とする請求項１記載の指針式計器。
【請求項３】
前記出光面と前記入光面は、前記第２の透光部材を前記第２の挿入保持部に挿入した後に、前記第２の延長部を前記第１の挿入保持部に挿入した際、前記第２の延長部の挿入に応じて前記第２の透光部材を前記第３の延長方向に押圧可能な面に形成されることを特徴とする請求項２記載の指針式計器。
【発明の詳細な説明】
【技術分野】
【０００１】
本発明は、例えば自動車、オートバイ、船舶をはじめとする移動体に搭載される指針式計器に関し、特に表示部材の外縁部上またはその外側を指針が軸周り回動するタイプの指針式計器に関する。
【背景技術】
【０００２】
この種の指針式計器としては、例えば下記特許文献１に記載されているものが知られている。この指針式計器は、液晶パネルからなる表示部材と、この表示部材の周囲を取り巻くように配置される目盛板と、この表示部材の背後に配置され駆動軸を有する駆動装置と、この駆動装置の駆動軸に連結され表示部材の背面側を通って目盛板の前面側に至る迂回形状を有し表示部材の背面側及び目盛板の前面側に沿って軸周り回動する指針とを備えている。
【０００３】
指針は、表示部材の背面に沿って延びる第１の延長部と、この第１の延長部から連続してその延長方向とは直交する方向に延びる第２の延長部と、この第２の延長部から連続してその延長方向とは直交する方向に延び目盛板上に至る第３の延長部とを有するクランク形状に形成されている。
【０００４】
ところで、下記特許文献１では、指針の照明構造については触れていないが、指針を例えば透光性のプラスチック材から形成し、光源からの光を導入させることにより、指針を発光させることができる。但し、上記特許文献１では、クランク形状の指針を単一部品から構成しているため、表示部材や目盛板を組み付けた後に指針を組み付けることができず、組み付け性に難点がある。このような事情から本出願人は特願２００５−５０４８７号にて透光性材料からなる指針を二分割形成し、遮光性材料からなる連結部材を介して連結する指針式計器を提案している。
【０００５】
この指針式計器は、従来例として図９に示すように、指針Ｐを、表示部材に沿って延びる第１の延長部０１と、この第１の延長部０１と直交する方向に延びる第２の延長部０２とで構成されるＬ字状の第１の屈曲部０３と、第２の延長部０２と同第３の延長方向に延びる第３の延長部０４と、この第３の延長部０４と直交する方向に延び図示しない目盛板上の目盛等を指示する第４の延長部０５とで構成される（逆）Ｌ字状の第２の屈曲部０６とに二分割形成されている。連結部材Ｃは、第１，第２の屈曲部０３，０６を挿入することにより第２の延長部０２と第３の延長部０４とを連結する筒状の挿入保持部０７と、第２の屈曲部０６の角部を覆って反射面等の不要部が視認されないように遮蔽する隠蔽部０８とを有し、第２の延長部０２はその延長方向に沿って挿入保持部０７に挿入され、第３の延長部０４は隠蔽部０８が存在する都合上、その延長方向とは異なる斜め方向から挿入保持部０７に挿入されるようになっており、この際、第３の延長部０４の挿入保持部０７への挿入を容易にするため、挿入保持部０７にはスリット０９が設けられている。
【特許文献１】特開２００３−１４５０８号公報
【発明の開示】
【発明が解決しようとする課題】
【０００６】
しかしながら、従来例記載の指針式計器は、第２の屈曲部０６が逆Ｌ字状であるため、連結部材Ｃに第４の延長部０５をその延長方向に沿って挿入保持する箇所を設定できず、第２の屈曲部０６を安定的に保持するのが難しいという問題があった。また第２の屈曲部０６が逆Ｌ字状であるため、第２の屈曲部０６を連結部材Ｃに挿入するためにスリット０９を設ける必要があり、連結部材Ｃの剛性が低下しやすいという問題があった。
【０００７】
本発明は、この点に鑑みてなされたもので、その主な目的は、分割形成した指針を連結部材にて安定して保持できる指針式計器を提供するものである。
【課題を解決するための手段】
【０００８】
本発明は、前記目的を達成するため、表示部材と、この表示部材の背後に配置され駆動軸を有する駆動装置と、前記駆動軸に連結され前記表示部材に沿って軸周り回動する指針と、この指針を照明する光源とを備え、前記指針が、少なくとも前記表示部材の背面側を前記駆動軸と交差する第１の延長方向に延びる第１の延長部と前記第１の延長方向と交差する第２の延長方向に延びる第２の延長部とを有し、これら第１，第２の延長部が二方向に屈曲して延びる第１の透光部材と、前記表示部材の前面側を前記第２の延長方向と交差する第３の延長方向に延びる第２の透光部材と、この第２の透光部材と前記第２の延長部とを連結する遮光性材料からなる連結部材とからなり、前記第２の延長部は、前記光源からの光を前記第２の透光部材に出光させる出光面を有し、前記第２の透光部材は、前記出光面からの光を入光させる入光面を有し、前記連結部材は、前記第２の延長方向に沿って前記第２の延長部を挿入することにより前記出光面を前記入光面に向けて保持する第１の挿入保持部と、この第１の挿入保持部と連通し前記第３の延長方向に沿って前記第２の透光部材を挿入することにより前記入光面を前記出光面に向けて保持する第２の挿入保持部とを有し、前記出光面と前記入光面とが対面するように前記第２の延長部の端部と前記第２の透光部材の端部とが前記第２の延長方向または前記第３の延長方向に重なるように連結することを特徴とする。
【０００９】
また本発明は、前記第２の延長部の端部には内部導光した前記光源の光を前記出光面に向けて反射する反射面が形成され、この反射面と前記出光面と前記入光面の全てが前記第３の延長方向上に位置するように、前記第２の延長部の端部と前記第２の透光部材の端部とが連結されることを特徴とする。
【００１０】
また本発明は、前記出光面と前記入光面は、前記第２の透光部材を前記第２の挿入保持部に挿入した後に、前記第２の延長部を前記第１の挿入保持部に挿入した際、前記第２の延長部の挿入に応じて前記第２の透光部材を前記第３の延長方向に押圧可能な面に形成されることを特徴とする。
【発明の効果】
【００１１】
本発明によれば、初期の目的を達成でき、分割形成した指針を連結部材にて安定して保持することができる。
【発明を実施するための最良の形態】
【００１２】
図１から図６は、本発明の第１の実施形態を示すもので、図１は指針式計器の正面図、図２は、図１のＡ−Ａ断面図、図３は指針の要部断面図、図４は指針の分解斜視図、図５は指針の組み付けにおいて連結部材に第２の透光部材を挿入した際の断面図、図６は指針の組み付けにおいて連結部材に第１の透光部材を挿入した際の断面図、図７は比較例を示す断面図である。
【００１３】
本実施形態による指示計器は、例えば自動車のダッシュボードに搭載されるコンビネーションメータからなるもので、図１に示すように、異なる種類の計測値を表示する三つの指針式表示部を横一列に配列してなり、全体の外形形状は略蒲鉾形である。なお図１では中央に位置する指針式表示部ＰＤ１のみ詳細に示し、両脇に位置する指針式表示部ＰＤ２，３は、一点鎖線にて示す。
【００１４】
各指針式表示部ＰＤ１〜ＰＤ３は、表示するコンテンツ（計測値の種類等）が異なるだけでその機械的構成は基本部分で一致しており、指針式表示部ＰＤ１を代表として図２に示すように、指針１と表示ユニットＵ（共に後に詳述）とにより構成されている。
【００１５】
これら指針１と表示ユニットＵの前方には、遮蔽部材（見返し部材またはマスク部材）２が配置され、この遮蔽部材２は、例えば遮光性の合成樹脂材料（例えば黒色）からなり、指針式表示部ＰＤ１〜ＰＤ３の所要部を露出し、不要部を隠蔽する開口が形成されている。
【００１６】
遮蔽部材２の前方には、例えば透光性の合成樹脂材料（例えば無色透明）からなるフロントカバー３が設けられ、埃等の進入を防いでいる。
【００１７】
一方、表示ユニットＵの後方（背後）には、ケース（剛体）４、回路基板５、リアカバー６がそれぞれ位置している。
【００１８】
ケース４は、各指針式表示部ＰＤ１〜ＰＤ３を構成する指針１や表示ユニットＵ他を収容する、概略形状が有底枠体からなる剛体であって、遮蔽部材２、フロントカバー３、回路基板５、リアカバー６を直接的または間接的に装着するコア部品となるものである。そして、このケース４（の底部）と回路基板５との間には、指針１の動作を許容する空間部Ｓが形成されている。
【００１９】
回路基板５は、ケース４（の底部）の背後に配置される硬質の回路基板であり、その背面には例えばステッピングモータからなる駆動源７の本体部が装着され、この駆動源７の駆動軸７１は回路基板５を貫通して前方に延び、指針１に接続されている。また回路基板５の前面であって駆動軸７１の周りには、指針１を照明するための例えば発光ダイオードからなる指針用光源８が配置されている。
【００２０】
リアカバー６は、回路基板５の背面を覆ってこれを保護するものである。
【００２１】
以上、リアカバー６、回路基板５、ケース４、指針式表示部ＰＤ１〜ＰＤ３を構成する指針１及び表示ユニットＵ、遮蔽部材２、フロントカバー１によって、コンビネーションメータが構成される。
【００２２】
次に表示ユニットＵの詳細構造について説明する。
表示ユニットＵは、表示パネル１００と、目盛板２００と、枠体３００と、導光体４００と、光源基板５００と、表示パネル用光源（光源）６００と、表示板用光源（光源）７００と、ネジ８００とで構成されている。なお各光源６００，７００は例えば発光ダイオードからなるものである。
【００２３】
表示パネル（表示部材）１００は、例えばＳＴＮ（Super Twisted Nematic）やＴＮ（Twisted Nematic）等の液晶表示パネルからなり、表示ユニットＵの中央に配置され、様々な情報（例えば外気温情報、走行距離情報、燃費情報からなる車両情報や例えばナビゲーション情報からなる交通情報）を表示する。なお表示パネル１００自体は、フロントカバー３側から見て矩形であるが、台形や円形等、任意形状のパネルを用いることができる。
【００２４】
目盛板２００は、表示パネル１００の外周に沿って配置され、指針１の支持対象となる指標部２０１（目盛や文字からなるが図１では目盛だけを示し文字は省略する）と、表示パネル１００の所要部を露出する窓部２０２とを有し、この窓部２０２から表示パネル１００が視認されることで、目盛板２００は、結果として表示パネル１００の外周に位置することになる。なお目盛板２００は、表示パネル１００を視認でき、且つ指標部２０１が表示パネル１００の外周に位置すればよく、窓部２０２に替えて透明な透視部を設けてもよい。また表示板１００自体は、例えば、指標部２０１が透過性、それ以外が遮光性に形成された通常の透過型印刷表示板が採用され、フロントカバー３側から見た外形形状は、略Ｄ字形である。
【００２５】
枠体３００は、例えば光反射性の良好な白色の合成樹脂材料からなり、フロントカバー３側から見た外形形状は、目盛板２００の形状に対応する略Ｄ字形である。この枠体３００は壁状の仕切部３０１により区画され、目盛板２００に対応する第１の照明室Ｒ１と、表示パネル１００に対応する第２の照明室Ｒ２とが形成されている。
【００２６】
第１の照明室Ｒ１は、指標部２０１の配列形状に沿った円弧形状に形成され、その前方側には目盛板２００が搭載され、また背面側には表示板用光源７００が配置され、さらに目盛板２００と表示板用光源７００との間には、導光体４００が配置されている。
【００２７】
導光体４００は、この例では第１の照明室Ｒ１に沿った円弧形状に形成され、表示板用光源７００に対応する位置には、表示板用光源７００に向けて突出する光導入部４０１と、円錐形状の放射反射部４０２が形成されている。
【００２８】
そして表示板用光源７００が点灯すると、その光は光導入部４０１を介して導光体４００内に導入され、放射反射部で放射状に反射されることで目盛板２００の板面方向に伝播し、これにより点光源を用いて指標部２０１の比較的広い範囲を照明できるようにしていると共に、表示板用光源７００から目盛板２００に至る照明経路を第１の照明室Ｒ１（仕切部３０１）で区画することにより、光の漏洩やロスを抑制することができる。
【００２９】
一方、第２の照明室Ｒ２は、この例では、前方側が幅広、その反対側が幅狭の四角錐形状に形成され、幅広となる前方側には表示パネル１００が搭載され、幅狭となる背面側には表示パネル用光源６００が配置されている。
【００３０】
そして表示パネル用光源６００が点灯すると、その光は第２の照明室Ｒ２内を繰り返し反射し、結果として点光源を用いて表示パネル１００全域を照明できるようにしている戸共に、表示パネル用光源６００から表示パネル１００に至る照明経路を第２の照明室Ｒ２（仕切部３０１）で区画することにより、光の漏洩やロスを抑制することができる。
【００３１】
光源基板５００は、その前面側に表示パネル用光源６００と表示板用光源７００とが装着されており、枠体３００の背後にネジ８００を通じて組み付け固定されることで、表示パネル用光源６００と表示板用光源７００とが各照明室Ｒ１，Ｒ２内に位置するようになっている。
【００３２】
ここで、枠体３００は、表示パネル１００、目盛板２００、導光体４００、光源基板５００（表示パネル用光源６００、表示板用光源７００）とを結合する中核部品となるものである。なお本例では、枠体３００に表示パネル１００、目盛板２００、導光体４００、光源基板５００のそれぞれをフックや両面テープ等により直接、結合したが、他の部材を通じて間接的に結合するものであってもよい。また本例では、光源基板５００と枠体３００との組み付けに際してネジ８００を用いたが、これら部品どうしの結合に限らず、固定部材、固定手段は任意の手段を採用できる。
【００３３】
以上のように構成される表示ユニットＵは、枠体３００に形成された図示しない取付部を通じてケース４に片持ち状態で取り付け固定される。
【００３４】
次に指針１について説明する。
指針１は、第１の透光部材１１と、第２の透光部材１２と、連結部材１３とから構成されている。
【００３５】
第１の透光部材１１は、図３、図４に示すように、駆動軸７１に連結されるボスを有すると共に表示ユニットＵ（表示パネル１００）の背面側を駆動軸７１と交差する（本実施形態では直交する）第１の延長方向Ａ１に沿って延びる第１の延長部１１１と、第１の延長方向Ａ１と交差する（本実施形態では直交する）第２の延長方向Ａ２に沿って延びる第２の延長部１１２とを有し、これら第１，第２の延長部１１１，１１２のそれぞれが第１，第２の延長方向Ａ１，Ａ２の二方向に屈曲して延びる透光性プラスチック材料からなる。なお第１の透光部材１１は、少なくとも二方向に延びる延長部を有していればよく、三方向もしくはそれ以上の延長方向を有していてもよい。
【００３６】
第１の延長部１１１には、その元部に光源８からの光を第１の延長方向Ａ１に反射する元部反射面１１３が形成され、第１，第２の延長部１１１，１１２の接続部分となる角部には、第１の延長部１１１を内部導光された光を第２の延長方向Ａ２に反射する中間反射面１１４が形成され、第２の延長部１１２の先端には、第２の延長部１１２を内部導光された光を第２の透光部材１２側に反射する反射面１１５が形成され、この反射面１１５と第２の透光部材１２の後述する入光面との間には、反射面１１５からの光を前記入光面に向けて出光させる出光面１１６が形成されている。
【００３７】
第２の透光部材１２は、表示ユニットＵ（表示パネル１００）の前面側を第２の延長方向Ａ２と交差する第３の延長方向Ａ３に沿って延びる透光性プラスチック材料からなり、その後端側には出光面１１６からの光を入光させる入光面１２１が形成され、その先端側は先細り形状に設定されている。なお本実施形態では第３の延長方向Ａ３と第１の延長方向Ａ１とが平行に設定されている。
【００３８】
連結部材１３は、遮光性のプラスチック材料からなり、第２の延長方向Ａ２に沿って第１の透光部材１１の第２の延長部１１２を挿入することにより出光面１１６を第２の透光部材１２の入光面１２１に向けて保持する筒状の第１の挿入保持部１３１と、この第１の挿入保持部１３１と内部が部分的に連通すると共に第３の延長方向Ａ３に沿って第２の透光部材１２を挿入することにより入光面１２１を出光面１１６に向けて保持する筒状の第２の挿入保持部１３２とを有している。
【００３９】
第１の挿入保持部１３１は、第２の延長部１１２を第２の延長方向Ａ２に沿って挿入するための第１の開口部１３３を有し、この開口部１３３の近傍には孔部１３４が形成され、この孔部１３４に対応する第２の延長部１１２箇所には孔部１３４と係合する断面三角形状の突出部１１７が形成されている。
【００４０】
第２の挿入保持部１３２は、第２の透光部材１２をその先端部を先頭として表示パネル１００の中心側に向け、第３の延長方向Ａ３に沿って挿入する入り口となる第２の開口部１３５と、挿入した第２の透光部材１２を露出させる第３の開口部１３６とを有している。
【００４１】
次に図５に基づいて指針１の組み付け例について説明する。
まず予め第２の透光部材１２を連結部材１３に挿入組み付けする（図５参照）。組み付けは第２の透光部材１２の先端側を先頭として第２の開口部１３５側から第２の挿入保持部１３２に挿入し、第３の開口部１３６を通じて第２の透光部材１２の必要部分を露出させる。第２の挿入保持部１３２は第２の透光部材１２の先細り形状に対応した内部空間構造を有しており、図示は省略するが第２の透光部材１２の必要部分が露出すると、それ以上第２の透光部材１２を挿入できないように突き当て構造からなる位置決め部を有し、第３の開口部１３６からの脱落を防止できる構成となっている。
【００４２】
このように第２の透光部材１２が挿入組み付けされた連結部材１３は、第１の透光部材１１の第２の延長部１１２に挿入組み付けされる（図６参照）。組み付けは、連結部材１３の第１の開口部１３３を先頭にして第２の延長部１１２に第１の挿入保持部１３１を差し込むことにより行われ、第２の延長部１１２の先端部が第１の挿入保持部１３１の前面側内壁部に到達し、  第２の延長部１１２の突出部１１７が連結部材１３の孔部１３４に係合した時点で、出光面１１６と入光面１２１とが密着し、この結果、反射面１１５と出光面１１６と入光面１２１の全てが第３の延長方向Ａ３上に位置するように位置合わせされる。
【００４３】
ここで、出光面１１６と入光面１２１との構造に注目すると、出光面１１６と入光面１２１は、第２の透光部材１２を第２の挿入保持部１３２に挿入した後に、出光面１１６が入光面１２１に接触した状態で第２の延長部１１２に第１の挿入保持部１３１を（挿通）挿入した際に、第２の透光部材１２の入光面１２１が出光面１１６を通じて第１の延長方向Ａ１に押圧可能な平面に形成されている。
【００４４】
すなわち、第２の延長部１１２の先端は楔形に形成されており、出光面１１６は、第１の挿入保持部１３１によって包囲される外壁面の第２の延長方向Ａ２に沿った延長方向、換言すると連結部材１３の第２の延長部１１２への挿入方向である第２の延長方向Ａ２に対して、所定角度θ（例えば５度〜１０度）分、先端に向かうに従って徐々に後方（第２の開口部１３５側）に傾く平面に構成され（図６参照）、この傾きに対応して入光面１２１も出光面１１６と平行と平行になるように斜めにカットした様な平面に形成され、組み付け完了状態において両平面１１６，１２１が密着するようになっている。
【００４５】
このように出光面１１６と入光面１２１の双方を第２の延長方向Ａ２に対して所定角度θ分、傾斜させたことにより、第２の透光部材１２を第１の延長方向Ａ１に押圧でき、例えば、第２の透光部材１２を第２の挿入保持部１３２に挿入したときに、部品の寸法誤差や挿入不足により、入光面１２１を有する第２の透光部材１２の後端部が第１の挿入保持部１３１の内部空間を部分的に覆うような場合（比較例として後述する図７参照）でも、連結部材１３の第２の延長方向Ａ２に沿った挿入移動により第２の透光部材１２が第１の延長方向Ａ１に押圧移動されるので、第２の延長部１１２の先端部が第２の透光部材１２の後端部に突き当たって、挿入移動が困難になるといった不具合を防止でき、組み付け性を向上させることができる。
【００４６】
この点、比較例として図７に示すように、出光面１１６と入光面１２１とを第２の延長方向Ａ２と平行な面とした場合、第２の延長部１１２の先端部が第２の透光部材１２の後端部に突き当たって、挿入移動が困難になるという不具合が発生することがあるが、本実施形態によれば、このような不具合を未然に防止することができる。
【００４７】
以上のように本実施形態によれば、表示パネル（表示部材）１００と、この表示部材１００の背後に配置され駆動軸７１を有する駆動装置７と、駆動軸７１に連結され表示パネル１００に沿って軸周り回動する指針１と、この指針１を照明する光源８とを備え、指針１が、少なくとも表示パネル１００の背面側を駆動軸７１と交差する第１の延長方向Ａ１に延びる第１の延長部１１１と第１の延長方向Ａ２と交差する第２の延長方向Ａ２に延びる第２の延長部１１２とを有し、これら第１，第２の延長部１１１，１１２が二方向（第１，第２の延長方向Ａ１，Ａ２）に屈曲して延びる第１の透光部材１１と、表示パネル１００の前面側を第２の延長方向Ａ２と交差する第３の延長方向Ａ３に延びる第２の透光部材１２と、この第２の透光部材１２と第２の延長部１１２とを連結する遮光性材料からなる連結部材１３とからなり、第２の延長部１１２は、光源８からの光を第２の透光部材１２に出光させる出光面１１６を有し、第２の透光部材１２は、出光面１１６からの光を入光させる入光面１２１を有し、連結部材１３は、第２の延長方向Ａ２に沿って第２の延長部１１２を挿入することにより出光面１１６を入光面１２１に向けて保持する第１の挿入保持部１３２と、この第１の挿入保持部１３２と部分的に連通すると共に第３の延長方向Ａ３に沿って第２の透光部材１２を挿入することにより入光面１２１を出光面１１６に向けて保持する第２の挿入保持部１３２とを有し、出光面１１６と入光面１２１とが対面するように第２の延長部１１２の端部と第２の透光部材１２の端部とが第３の延長方向Ａ３に重なるように連結することにより、分割形成した指針を連結部材にて安定して保持することができる。
【００４８】
すなわち、第１の透光部材１１を二方向（第１，第２の延長方向Ａ１，Ａ２）に延びる形状とし、第２の透光部材１２を第３の延長方向Ａ３に延びる形状とし、第１の透光部材１１と第２の透光部材１２の双方を各々が筒形となる第１の挿入保持部１３１と第２の挿入保持１３２にそれぞれ挿入保持することで両透光部材１１，１２を連結したことにより、第１，第２の透光部材１１，１２を確実、且つ強固に安定保持することができ、しかも組み付けを考慮して連結部材１３にスリットや切り欠き等を設ける必要がなくなり、連結部材１３の剛性を確保することができる。
【００４９】
また本実施形態では、第２の延長部１１２の端部には内部導光した光源８の光を出光面１１６に向けて反射する反射面１１５が形成され、この反射面１１５と出光面１１６と入光面１２１の全てが第１の延長方向Ａ１上に位置するように、第２の延長部１１２の端部と第２の透光部材１２の端部とが第１の延長方向Ａ１に重なるように連結されることにより、入光面１２１を第３の延長方向Ａ３に対する傾きを抑えることができ、これにより第２透光部材１２を第３の延長方向Ａ３に沿って連結部材１３に挿入する際、最後尾の面となる入光面１２１を第３の延長方向Ａ３に押圧しやすくし、作業性を向上させることができる。
【００５０】
また本実施形態によれば、第２の延長部１１２は第２の透光部材１２を第２の挿入保持部１３２に挿入した後に第１の挿入保持部１３１に挿入されるようになっており、出光面１１６と入光面１２１は、第２の透光部材１２に第２の挿入保持部１３２に挿入した後に、出光面１１６を入光面１２１に接触させながら第２の延長部１１２を第１の挿入保持部１３１に挿入した際に、出光面１１６が入光面１２１を通じて第２の透光部材１２を第１の延長方向Ａ１に押圧可能な面に形成されることにより、組み付け作業性を向上させることができる。
【００５１】
図８は本発明の第２の実施形態を示す要部断面図であり、本実施形態では、出光面１１６と入光面１２１とが対面するように第２の延長部１１２の端部と第２の透光部材１２の端部とが第２の延長方向Ａ２に重なるように連結したもので、この場合、反射面１１５は、第２の延長部１１２ではなく、第２の透光部材１２に設けられている。
【００５２】
このように構成される第２の実施形態によっても前記第１の実施形態と同様の効果を期待できる。但し、この場合、第２透光部材１２を第３の延長方向Ａ３に沿って連結部材１３に挿入する際、最後尾の面となる反射面１１５は第３の延長方向Ａ３に対して傾いた（例えば４３度〜４５度）面となるため、挿入作業性は前記第１の実施形態の方が良好である。
【図面の簡単な説明】
【００５３】
【図１】本発明による指針式計器の正面図。
【図２】図１のＡ−Ａ断面図。
【図３】指針の要部断面図。
【図４】指針の分解斜視図。
【図５】指針の組み付けにおいて連結部材に第２の透光部材を挿入した際の断面図。
【図６】指針の組み付けにおいて連結部材に第１の透光部材を挿入した際の断面図。
【図７】比較例を示す断面図。
【図８】本発明の第２の実施形態を示す要部断面図。
【図９】従来例を示す斜視図。
【符号の説明】
【００５４】
１  指針
２  遮蔽部材
３  フロントカバー
４  ケース（剛体）
５  回路基板
６  リアカバー
７  駆動源
８  指針用光源
１１  第１の透光部材
１２  第２の透光部材
１３  連結部材
４１  取付受部
４２  凹部
４３  孔部
５１，６１  貫通孔
７１  駆動軸
１００  表示パネル（表示部材）
１１１  第１の延長部
１１２  第２の延長部
１１３  元部反射面
１１４  中間反射面
１１５  反射面
１１６  出光面
１２１  入光面
１３１  第１の挿入保持部
１３２  第２の挿入保持部
１３３  第１の開口部
１３４  孔部
１１７  突出部
１３５  第２の開口部
１３６  第３の開口部
２００  表示板
２０１  指標部
２０２  窓部
３００  枠体
３０１  仕切部
３０２  取付部
３０３  孔部
４００  導光体
４０１  光導入部
４０２  放射反射部
５００  光源基板
６００  表示パネル用光源（光源）
７００  表示板用光源（光源）
８００  ネジ
９００  光源
Ａ１  第１の延長方向
Ａ２  第２の延長方向
Ａ３  第３の延長方向
ＰＤ１〜ＰＤ３  指針式表示部
Ｒ  照明室
Ｒ１  第１の照明室
Ｒ２  第２の照明室
Ｓ  空間部
Ｕ  表示ユニット
θ  所定角度
【図１】
2008032455.tif 000003
【図２】
2008032455.tif 000004
【図３】
2008032455.tif 000005
【図４】
2008032455.tif 000006
【図５】
2008032455.tif 000007
【図６】
2008032455.tif 000008
【図７】
2008032455.tif 000009
【図８】
2008032455.tif 000010
【図９】
2008032455.tif 000011